(57)【要約】【課題】本発明は、高温時に揮散体が膨張しても、液体芳香剤が吹き出してしまうことがない、自動車用液体芳香剤容器構造を得ることを課題とする。【解決手段】液体芳香剤と、前記液体芳香剤を収容する容器本体と、前記液体芳香材を吸い上る芯部材と、前記芯部材の上端が接続され外部に揮散可能に構成された揮散体と、を有し、前記容器本体は、上部位置には首部が形成され、前記首部の内側位置および上端部には前記揮散体を配置可能に形成される収納容器が配置され、前記首部の外側位置および前記収納容器の上部位置には前記収納容器を前記容器本体に固定する保持部材が配置され、前記収納容器と、前記保持部材と、には夫々、前記揮散体が膨張の有無に係らず容器本体の内部と外気との通気を確保する通気手段が形成される。【選択図】図１
2018086052.tif 000002
【特許請求の範囲】
【請求項１】
揮発性の香料成分を含有する液体芳香剤と、
内部に前記液体芳香剤を収容可能に構成された容器本体と、
前記液体芳香材を毛管現象によって吸い上げ可能に構成された芯部材と、
下方位置に前記芯部材の上端が接続され、前記芯部材で吸い上げた液体芳香剤を、前記容器本体の外部に揮散可能に構成された揮散体と、を有し、
前記容器本体は、上部位置には首部が形成され、前記首部の上端に開口部が形成されると共に、前記首部の外周面にネジ部が形成され、
前記首部の内側位置および上端部には前記揮散体を配置可能に形成される収納容器が配置され、
前記首部の外側位置および前記収納容器の上部位置には前記収納容器を前記容器本体に固定する保持部材が配置され、
前記収納容器は、前記芯部材の上部位置が通過可能な孔が形成された底部と、前記底部から上方に延在する円筒状の側壁部と、前記側壁部の外部位置に形成され、下面が前記首部の上端面と当接する外フランジ部と、を有し、
前記保持部材は、前記容器本体の首部の外周に形成されたネジ部と螺合するネジ部が形成された内面を有する円筒状の側壁部と、前記側壁部の外部位置に形成され、下面が前記収納容器の外フランジ部の上面と当接する内フランジ部と、を有し、
前記収納容器と、前記保持部材と、には夫々、前記揮散体の外周面から揮散した液体芳香材が外気に発散することが可能な香料成分の通気手段を有する自動車用液体芳香剤容器構造において、
更に、前記収納容器と、前記保持部材と、には夫々、前記揮散体が膨張の有無に係らず、常に前記液体芳香剤を収容する容器本体の内部と外気との通気を確保する通気手段が形成されることを特徴とする自動車用液体芳香剤容器構造。
【請求項２】
前記通気手段は、
前記収納容器の側壁部の内面から内側に向かって形成されるリブを有し、
前記リブの内側端部は、前記揮散体の外周面と当接可能に構成され、
前記収納容器の内側位置において、前記揮散体が膨張した際の、前記揮散体の外周面の到達位置よりも側壁部側に形成される通気空間と、
前記収納容器の底部において、前記揮散体が膨張した際の、前記揮散体の外周面の到達位置よりも側壁部側に形成された、少なくとも１つの通気孔と、
を有することを特徴とする請求項１記載の自動車用液体芳香剤容器。
【請求項３】
前記収納容器のリブの上端部が、前記保持部材の内フランジ部の下面と近接もしくは当接する位置まで形成されることを特徴とする請求項２記載の自動車用液体芳香剤容器。
【請求項４】
前記収納容器のリブの上端部が、前記保持部材の内フランジ部の上面位置まで延在して形成されることを特徴とする請求項２または３記載の自動車用液体芳香剤容器。
【請求項５】
前記通気手段は、
前記収納容器の側壁部から離間した内側位置に形成される内壁を有し、
前記内壁の内側面は、前記揮散体の外周面と当接可能に構成され、
前記収納容器の内側位置において、前記揮散体が膨張した際に、前記揮散体の外周面の到達位置よりも側壁部側に形成される通気空間と、
前記収納容器の底部において、前記揮散体が膨張した際の、前記揮散体の外周面の到達位置よりも側壁部側に形成された、少なくとも１つの通気孔と、
を有するように構成されることを特徴とする請求項１記載の自動車用液体芳香剤容器。
【請求項６】
前記収納容器の内壁の上端部が、前記保持部材の内フランジ部の下面と近接もしくは当接する位置まで形成されることを特徴とする請求項５記載の自動車用液体芳香剤容器。
【請求項７】
前記収納容器の内壁の上端部が、前記保持部材の内フランジ部の上面位置まで延在して形成されることを特徴とする請求項５または６記載の自動車用液体芳香剤容器。
【請求項８】
前記保持部材の内フランジ部には、前記揮散体が膨張した際の、前記揮散体の外周面の到達位置よりも側壁部側に、前記収納容器の通気空間と外気間の通気が可能な、開口部が形成されることを特徴とする請求項１〜７の何れか１項記載の自動車用液体芳香剤容器。
【発明の詳細な説明】
【技術分野】
【０００１】
本発明は、自動車内に配置して使用する自動車用液体芳香剤容器構造に関するものである。
【背景技術】
【０００２】
従来技術の自動車用液体芳香剤容器構造としては、実公７−４８２６２号が公知であり、この従来技術は図１３、図１４に示すとおり、容器本体１０の口部に収納容器（中栓）２００が嵌合され、前記収納容器２００には中芯２０１を垂設する挿通孔２０２が形成され、前記収納容器２００の、前記中芯挿通孔２０２の周辺には１つ以上の溝２０３が形成され、前記溝２０３の上面には保持部材（キャップ）２０４が被冠されるとともに溝２０３には少なくとも一部に区画２０５が形成され、各区画２０５は連通部２０６で連通され、前記区画２０５の少なくとも１つには容器本体１０内に通じる内孔２０６が形成され、前記キャップ２０４には前記区画２０５のうち、内孔２０７が形成されていない区画の少なくとも１つに連通するとともに外部に通じる外孔２０８が形成されてなることを特徴とする液体容器が開示されている。
【０００３】
この従来技術においては、中芯２０１のみで液体芳香剤を揮散させるため、揮散可能な芯材料の表面積が少なく、更に、前記中芯２０１の外周面は挿通孔２０２の壁面によって覆われるため、液体芳香剤が揮散可能な部分は中芯２０１の先端部のみとなり、十分な液体芳香剤の揮散量が得られない不具合があった。
【０００４】
また、他の従来技術として、特開平１１−１９１９９号が公知であり、この従来技術は図１５に示すとおり、容器本体１０と、複数の支持部２１１を備えた収納容器（収納容器本体）２１０、芯部材（吸上芯）２１２、揮散体２１３、保持部材（蓋体）２１４から構成されている。前記収納容器（収納容器本体）２１０において、切欠き２１５が底壁及び側壁の両壁に渡って形成されるとともに、前記支持部２１１間に配設されている。
【０００５】
しかしながら、従来技術においては揮散体２１３に対して、収納容器（収納容器本体）２１０の側壁部の内面および保持部材（蓋体）２１４の内面に容器本体１０の内部からの通気が可能な隙間がある場合でも、収納容器蓋２１６を取り外した使用状態において、高温時に揮散体２１３が膨張して、収納容器（収納容器本体）２１０の側壁部の内面や、保持部材（蓋体）２１４の内面と揮散体の外周面が密着することによって、容器本体２の内部と外気との通気が困難となることによって、容器本体２の内圧が高まり、前記揮散体２１３から、液体芳香剤が吹き出してしまう不具合があった。
【先行技術文献】
【特許文献】
【０００６】
【特許文献１】実公平７−４８２６２号公報
【特許文献２】特開平１１−１９１９９号公報
【発明の概要】
【発明が解決しようとする課題】
【０００７】
本発明は、揮散体の外周面から揮散した液体芳香材の香料成分を外部に発散することが可能な通気手段を有する自動車用液体芳香剤容器構造において、高温時に揮散体が膨張しても液体芳香剤が、液体の状態で外部に吹き出してしまうことを防止する構造を得ることを課題とする。
【課題を解決するための手段】
【０００８】
本発明の自動車用液体芳香剤容器構造は、揮発性の香料成分を含有する液体芳香剤と、内部に前記液体芳香剤を収容可能に構成された容器本体と、前記液体芳香材を毛管現象によって吸い上げ可能に構成された芯部材と、下方位置に前記芯部材の上端が接続され、前記芯部材で吸い上げた液体芳香剤を、前記容器本体の外部に揮散可能に構成された揮散体と、を有し、前記容器本体は、上部位置には首部が形成され、前記首部の上端に開口部が形成されると共に、前記首部の外周面にネジ部が形成され、前記首部の内側位置および上端部には前記揮散体を配置可能に形成される収納容器が配置され、前記首部の外側位置および前記収納容器の上部位置には前記収納容器を前記容器本体に固定する保持部材が配置され、前記収納容器は、前記芯部材の上部位置が通過可能な孔が形成された底部と、前記底部から上方に延在する円筒状の側壁部と、前記側壁部の外部位置に形成され、下面が前記首部の上端面と当接する外フランジ部と、を有し、前記保持部材は、前記容器本体の首部の外周に形成されたネジ部と螺合するネジ部が形成された内面を有する円筒状の側壁部と、前記側壁部の外部位置に形成され、下面が前記収納容器の外フランジ部の上面と当接する内フランジ部と、を有し、前記収納容器と、前記保持部材と、には夫々、前記揮散体の外周面から揮散した液体芳香材が外気に発散することが可能な香料成分の通気手段を有する自動車用液体芳香剤容器構造において、更に、前記収納容器と、前記保持部材と、には夫々、前記揮散体が膨張の有無に係らず、常に前記液体芳香剤を収容する容器本体の内部と外気との通気を確保する通気手段が形成されることを特徴とする。
【０００９】
更に、前記通気手段は、前記収納容器の側壁部の内面から内側に向かって形成されるリブを有し、前記リブの内側端部は、前記揮散体の外周面と当接可能に構成され、前記収納容器の内側位置において、前記揮散体が膨張した際の、前記揮散体の外周面の到達位置よりも側壁部側に形成される通気空間と、前記収納容器の底部において、前記揮散体が膨張した際の、前記揮散体の外周面の到達位置よりも側壁部側に形成された、少なくとも1つの通気孔と、を有することを特徴とする。
【００１０】
更に、前記収納容器のリブの上端部が、前記保持部材の内フランジ部の下面と近接もしくは当接する位置まで形成されることを特徴とする。
【００１１】
また、前記収納容器のリブの上端部が、前記保持部材の内フランジ部の上面位置まで延在して形成してもよい。
【００１２】
また、前記通気手段は、前記収納容器の側壁部から離間した内側位置に形成される内壁を有し、前記内壁の内側面は、前記揮散体の外周面と当接可能に構成され、前記収納容器の内側位置において、前記揮散体が膨張した際に、前記揮散体の外周面の到達位置よりも側壁部側に形成される通気空間と、前記収納容器の底部において、前記揮散体が膨張した際の、前記揮散体の外周面の到達位置よりも側壁部側に形成された、少なくとも1つの通気孔と、を有するように構成してもよい。
【００１３】
更に、前記収納容器の内壁の上端部が、前記保持部材の内フランジ部の下面と近接もしくは当接する位置まで形成されることを特徴とする。
【００１４】
また、前記収納容器の内壁の上端部が、前記保持部材の内フランジ部の上面位置まで延在して形成してもよい。
【００１５】
更に、前記保持部材の内フランジ部には、前記揮散体が膨張した際の、前記揮散体の外周面の到達位置よりも側壁部側に、前記収納容器の通気空間と外気間の通気が可能な、開口部が形成されることを特徴とする。
【発明の効果】
【００１６】
本発明は、簡単な構成でありながら、前記揮散体が膨張の有無に係らず、常に前記液体芳香剤を収容する容器本体の内部と外気との通気を確保することができるため、高温時に揮散体が膨張しても、容器本体の内圧が高まり液体芳香剤が吹き出してしまうことを防止することができる。
【図面の簡単な説明】
【００１７】
【図１】第１の実施形態に係る自動車用液体芳香剤容器構造の断面図である。
【図２】第１の実施形態に係る自動車用液体芳香剤容器構造の平面図である。
【図３】第１の実施形態に係る自動車用液体芳香剤容器構造において保持部材を外した状態の平面図である。
【図４】第１の実施形態に係る自動車用液体芳香剤容器構造の変形例を示す断面図である。
【図５】第１の実施形態に係る自動車用液体芳香剤容器構造の変形例を示す平面図である。
【図６】第２の実施形態に係る自動車用液体芳香剤容器構造の断面図である。
【図７】第２の実施形態に係る自動車用液体芳香剤容器構造の平面図である。
【図８】第２の実施形態に係る自動車用液体芳香剤容器構造の変形例を示す平面図である。
【図９】第３の実施形態に係る自動車用液体芳香剤容器構造の断面図である。
【図１０】第３の実施形態に係る自動車用液体芳香剤容器構造の平面図である。
【図１１】第４の実施形態に係る自動車用液体芳香剤容器構造の断面図である。
【図１２】第４の実施形態に係る自動車用液体芳香剤容器構造の平面図である。
【図１３】従来技術を示す要部断面図である。
【図１４】図１３におけるＨＨ断面の参考図である。
【図１５】他の従来技術を示す部品構成図である。
【発明を実施するための形態】
【００１８】
本発明の第１実施例に係る固定部材の離脱防止構造を図面に基づき説明する。
【００１９】
本発明の第１実施例は、図１〜図３に示すように、揮発性の香料成分を含有する液体芳香剤２０と、内部に前記液体芳香剤２０を収容可能に構成された容器本体１０と、前記液体芳香材２０を毛管現象によって吸い上げ可能に構成された芯部材３０と、下方位置に前記芯部材３０の上端が接続され、前記芯部材３０で吸い上げた液体芳香剤２０を、前記容器本体１０の外部に揮散可能に構成された揮散体４０と、を有し、前記容器本体１０は、上部位置には縮径した首部１１が形成され、前記首部１１の上端に開口部が形成されると共に、前記首部１１の外周面にネジ部１２が形成される。
【００２０】
前記首部１１の内側位置および上端部には前記揮散体４０を配置可能に形成される収納容器５が配置され、前記首部１１の外側位置および前記収納容器５０の上部位置には前記収納容器５を前記容器本体１０に固定する保持部材６０が配置される。
【００２１】
前記収納容器５０は、前記芯部材３０の上部位置が通過可能な孔５１が形成された底部５２と、前記底部５２から上方に延在する円筒状の側壁部５３と、前記側壁部５３の上部位置に形成され、下面が前記首部１１の上端面と当接する外フランジ部５４と、を有し、前記保持部材６０は、前記容器本体１０の首部１１の外周に形成されたネジ部１２と螺合するネジ部が形成された内面を有する円筒状の側壁部６１と、前記側壁部６１の上部位置に形成され、下面が前記収納容器の外フランジ部５４の上面と当接する内フランジ部６２と、を有し、前記収納容器５０と、前記保持部材６０と、には夫々、前記揮散体４０の外周面から揮散した芳香成分が外気に発散することが可能な通気手段を有する。
【００２２】
更に、前記収納容器５０と、前記保持部材６０と、には夫々、前記揮散体４０の膨張の有無に係らず、常に前記液体芳香剤２０を収容する容器本体１０の内部と外気との通気を確保する通気手段が形成される。
【００２３】
前記通気手段は、前記収納容器５０の側壁部５３の内面から内側に向かって形成される複数のリブ５５を有し、前記リブ５５の夫々の内側端部は、前記揮散体４０の外周面と当接可能に構成され、前記収納容器５０の複数のリブ５５間において、前記揮散体４０が膨張した際の、前記揮散体４０の外周面の到達位置よりも側壁部５３側に形成される通気空間５６と、前記収納容器５の底部５２において、前記揮散体４０が膨張した際の、前記揮散体４０の外周面の到達位置よりも側壁部５３側に形成された少なくとも１つの通気孔５７と、を有する。
【００２４】
更に、前記保持部材６０の内フランジ部６２の内周部は、前記揮散体４０の外周面と当接可能に構成され、前記保持部材６０の内フランジ部６２には、前記揮散体４０が膨張した際の、前記揮散体４０の外周面の到達位置よりも側壁部６１側に、前記収納容器５０の通気空間５６と外気間の通気が可能な、通気溝６３が形成される。尚、図４、図５に示すように、前記保持部材６０には前記通気溝６３の代わりに、前記収納容器５０の通気空間５６と外気間の通気が可能な通気孔６４を形成しても良い。
【００２５】
更に、前記収納容器５０の複数のリブ５５の上端部が、前記保持部材６０の内フランジ部６２の下面と近接する位置まで形成される。それにより、前記収納容器５に形成された通気空間５６と、前記保持部材６０に形成された通気溝６３（通気孔６４）間において、容器本体１０の内部と外気との通気が、前記揮散体４０の膨張によって途切れることなく、容器本体１０の内部と外気との通気を確保することができる。尚、前記収納容器５０の複数のリブ５５の上端部の一部を、前記保持部材６０の内フランジ部６２の下面と当接する位置まで形成しても良い。
【００２６】
本発明の第２実施例に係る固定部材の離脱防止構造を図面に基づき説明する。
【００２７】
本発明の第２実施例は、図６、図７に示すように、揮発性の香料成分を含有する液体芳香剤２０と、内部に前記液体芳香剤２０を収容可能に構成された容器本体１０と、前記液体芳香材２０を毛管現象によって吸い上げ可能に構成された芯部材３０と、下方位置に前記芯部材３０の上端が接続され、前記芯部材３０で吸い上げた液体芳香剤２０を、前記容器本体１０の外部に揮散可能に構成された揮散体４０と、を有し、前記容器本体１０は、上部位置には縮径した首部１１が形成され、前記首部１１の上端に開口部が形成されると共に、前記首部１１の外周面にネジ部１２が形成される。
【００２８】
前記首部１１の内側位置および上端部には前記揮散体４０を配置可能に形成される収納容器７０が配置され、前記首部１１の外側位置および前記収納容器７０の上部位置には前記収納容器７０を前記容器本体１０に固定する保持部材８０が配置される。
【００２９】
前記収納容器７０は、前記芯部材３０の上部位置が通過可能な孔７１が形成された底部７２と、前記底部７２から上方に延在する円筒状の側壁部７３と、前記側壁部７３の上部位置に形成され、下面が前記首部１１の上端面と当接する外フランジ部７４と、を有し、前記保持部材８０は、前記容器本体１０の首部１１の外周に形成されたネジ部１２と螺合するネジ部が形成された内面を有する円筒状の側壁部８１と、前記側壁部８１の上部位置に形成され、下面が前記収納容器７０の外フランジ部７４の上面と当接する内フランジ部８２と、を有し、前記収納容器７０と、前記保持部材８０と、には夫々、前記揮散体４０の外周面から揮散した芳香成分が外気に発散することが可能な通気手段を有する。
【００３０】
更に、前記収納容器７０と、前記保持部材８０と、には夫々、前記揮散体４０の膨張の有無に係らず、常に前記液体芳香剤２０を収容する容器本体１０の内部と外気との通気を確保する通気手段が形成される。
【００３１】
前記通気手段は、前記収納容器７０の側壁部７３から離間した内側位置に、互いに間隔を開けて複数形成された内壁７５を有し、前記内壁７５の夫々の内側面は、前記揮散体４０の外周面と当接可能に構成され、前記収納容器７０の内側位置において、前記揮散体４０が膨張した際に、前記揮散体４０の外周面の到達位置よりも側壁部７３側に形成される通気空間７６と、前記収納容器７０の底部７２において、前記揮散体４０が膨張した際の、前記揮散体４０の外周面の到達位置よりも側壁部７３側に形成された、少なくとも１つの通気孔７７と、を有する。
【００３２】
更に、前記収納容器７０の内壁７５の上端部が、前記保持部材８０の内フランジ部８２の上面位置まで延在して形成され、前記保持部材８０の内フランジ部８２の内周部は、前記収納容器７０の内壁７５の上端部と干渉しないように開口部８３を形成することによって、前記収納容器７０に形成された通気空間７６が前記保持部材８０の上面位置まで形成され、それにより、前記容器本体１０の内部と外気との通気が、前記揮散体４０の膨張によって途切れることなく、容器本体１０の内部と外気との通気を確保することができる。
【００３３】
尚、前記収納容器７０の複数の内壁７５の上端部を、前記保持部材８０の内フランジ部８２の下面と近接もしくは当接する位置まで形成し、前記収納容器７に形成された通気空間７６と、前記保持部材８０に形成された開口部８３間において、容器本体１０の内部と外気との通気が、前記揮散体４０の膨張によって途切れることなく、容器本体１０の内部と外気との通気を確保することができるように構成しても良い。（図示せず）
【００３４】
尚、前記保持部材８０の内フランジ部８２の上面位置まで延在して形成される内壁７５は、複数の内壁７５の中の一部の内壁７５のみであってもよい（図示せず）。
【００３５】
尚、図８に示すように、前記収納容器７０に形成される内壁７５は、間隔を開けず円筒状に形成してもよい。
【００３６】
本発明の第３実施例に係る固定部材の離脱防止構造を図面に基づき説明する。
【００３７】
本発明の第３実施例は、図９、図１０に示すように、揮発性の香料成分を含有する液体芳香剤２０と、内部に前記液体芳香剤２０を収容可能に構成された容器本体１０と、前記液体芳香材２０を毛管現象によって吸い上げ可能に構成された芯部材３０と、下方位置に前記芯部材３０の上端が接続され、前記芯部材３０で吸い上げた液体芳香剤２０を、前記容器本体１０の外部に揮散可能に構成された揮散体４０と、を有し、前記容器本体１０は、上部位置には縮径した首部１１が形成され、前記首部１１の上端に開口部が形成されると共に、前記首部１１の外周面にネジ部１２が形成される。
【００３８】
前記首部１１の内側位置および上端部には前記揮散体４０を配置可能に形成される収納容器９０が配置され、前記首部１１の外側位置および前記収納容器９０の上部位置には前記収納容器９０を前記容器本体１０に固定する保持部材１００が配置される。
【００３９】
前記収納容器９０は、前記芯部材４０の上部位置が通過可能な孔９１が形成された底部９２と、前記底部９２から上方に延在する円筒状の側壁部９３と、前記側壁部９３の上部位置に形成され、下面が前記首部１１の上端面と当接する外フランジ部９４と、を有し、前記保持部材１００は、前記容器本体１０の首部１１の外周に形成されたネジ部１２と螺合するネジ部が形成された内面を有する円筒状の側壁部１０１と、前記側壁部１０１の上部位置に形成され、下面が前記収納容器９０の外フランジ部９４の上面と当接する内フランジ部１０２と、を有し、前記収納容器１０と、前記保持部材１００と、には夫々、前記揮散体４０の外周面から揮散した芳香成分が外気に発散することが可能な通気手段を有する。
【００４０】
更に、前記収納容器９０と、前記保持部材１００と、には夫々、前記揮散体４０の膨張の有無に係らず、常に前記液体芳香剤２０を収容する容器本体１０の内部と外気との通気を確保する通気手段が形成される。
【００４１】
前記通気手段は、前記収納容器９０の側壁部９３の内面から内側に向かって形成される複数のリブ９５を有し、前記リブ９５の夫々の内側端部は、前記揮散体４０の外周面と当接可能に構成され、前記収納容器９０の複数のリブ９５間において、前記揮散体４０が膨張した際の、前記揮散体４０の外周面の到達位置よりも側壁部９３側に形成される通気空間９６と、前記収納容器９０の底部９２において、前記揮散体４０が膨張した際の、前記揮散体４０の外周面の到達位置よりも側壁部９３側に形成された、少なくとも１つの通気孔９７と、を有する。
【００４２】
尚、前記収納容器９０に形成される複数のリブ９５は、前記収納容器９０の側壁部９３の内面の一部のみに隣接して形成され、前記収納容器９０の複数のリブ９５の上端部が、前記保持部材１００の内フランジ部１０２の上面位置まで延在して形成され、前記保持部材１００の内フランジ部１０２の内周部は、前記収納容器９０の複数のリブの上端部と干渉しないように開口部１０３が形成されることによって、前記収納容器９０に形成された通気空間９６が前記保持部材１００の上面位置まで延在し、それにより、前記容器本体１０の内部と外気との通気が、前記揮散体４０の膨張によって途切れることなく、容器本体の内部と外気との通気を確保することができる。
【００４３】
本発明の第４実施例に係る固定部材の離脱防止構造を図面に基づき説明する。
【００４４】
本発明の第４実施例は、図１１、図１２に示すように、揮発性の香料成分を含有する液体芳香剤２０と、内部に前記液体芳香剤２０を収容可能に構成された容器本体１０と、前記液体芳香材２０を毛管現象によって吸い上げ可能に構成された芯部材３０と、下方位置に前記芯部材３０の上端が接続され、前記芯部材３０で吸い上げた液体芳香剤２０を、前記容器本体１０の外部に揮散可能に構成された揮散体４０と、を有し、前記容器本体１０は、上部位置には縮径した首部１１が形成され、前記首部１１の上端に開口部が形成されると共に、前記首部の外周面にネジ部１２が形成される。
【００４５】
前記首部１１の内側位置および上端部には前記揮散体４０を配置可能に形成される収納容器１１０が配置され、前記首部１１の外側位置および前記収納容器１１０の上部位置には前記収納容器１１０を前記容器本体１０に固定する保持部材１２０が配置される。
【００４６】
前記収納容器１１０は、前記芯部材４０の上部位置が通過可能な孔１１１が形成された底部１１２と、前記底部１１２から上方に延在する円筒状の側壁部１１３と、前記側壁部１１３の上部位置に形成され、下面が前記首部１１の上端面と当接する外フランジ部１１４と、を有し、前記保持部材１２０は、前記容器本体１０の首部１１１の外周に形成されたネジ部１２と螺合するネジ部が形成された内面を有する円筒状の側壁部１２１と、前記側壁部１２１の上部位置に形成され、下面が前記収納容器１１０の外フランジ部１１４の上面と当接する内フランジ部１２２と、を有し、前記収納容器１１０と、前記保持部材１２０と、には夫々、前記揮散体４０の外周面から揮散した芳香成分が外気に発散することが可能な通気手段を有する。
【００４７】
更に、前記収納容器１１０と、前記保持部材１２０と、には夫々、前記揮散体４０の膨張の有無に係らず、常に前記液体芳香剤２０を収容する容器本体１０の内部と外気との通気を確保する通気手段が形成される。
【００４８】
前記通気手段は、前記収納容器１１０の側壁部１１３から離間した内側位置に内壁１１５が形成され、前記内壁１１５の夫々の内側面は、前記揮散体４０の外周面と当接可能に構成され、前記収納容器１１０の内側位置において、前記揮散体４０が膨張した際に、前記揮散体４０の外周面の到達位置よりも側壁部１１３側に形成される通気空間１１６と、前記収納容器１１０の底部１１２において、前記揮散体４０が膨張した際の、前記揮散体４０の外周面の到達位置よりも側壁部１１３側に形成された、少なくとも１つの通気孔１１７と、を有する。
【００４９】
尚、前記収納容器１１０に形成される内壁１１５は、前記収納容器１１０内の一部のみに形成され、更に、前記収納容器１１０の内壁１１５の上端部が、前記保持部材１２０の内フランジ部１２２の上面位置まで延在して形成され、前記保持部材１２０の内フランジ部１２２の内周部は、前記収納容器１１０の内壁１１５の上端部と干渉しないように開口部１２３が形成されることによって、前記収納容器１１０に形成された通気空間１１６が前記保持部材１２０の上面位置まで延在し、それにより、前記容器本体１０の内部と外気との通気が、前記揮散体４０の膨張によって途切れることなく、容器本体１０の内部と外気との通気を確保することができる。
【符号の説明】
【００５０】
１０：容器本体、１１：首部、１２：ネジ部、２０：液体芳香剤、３０：芯部材、４０：揮散体、５０：収納容器、５１：孔、５２：底部、５３：側壁部、５４：外フランジ部、５５：リブ、５６：通気空間、５７：通気孔、６０：保持部材、６１：側壁部、６２：内フランジ部、６３：通気溝、６４：通気孔、７０：収納容器、７１：孔、７２：底部、７３：側壁部、７４：外フランジ部、７５：内壁、７６：通気空間、７７：通気孔、８０：保持部材、８１：側壁部、８２：内フランジ部、８３：開口部、９０：収納容器、９１：孔、９２：底部、９３：側壁部、９４：外フランジ部、９５：リブ、９６：通気空間、９７：通気孔、１００：保持部材、１０１：側壁部、１０２：内フランジ部、１０３：開口部、１１０：収納容器、１１１：孔、１１２：底部、１１３：側壁部、１１４：外フランジ部、１１５：内壁、１１６：通気空間、１１７：通気孔、１２０：保持部材、１２１：側壁部、１２２：内フランジ部、１２３：開口部
【図１】
2018086052.tif 000003
【図２】
2018086052.tif 000004
【図３】
2018086052.tif 000005
【図４】
2018086052.tif 000006
【図５】
2018086052.tif 000007
【図６】
2018086052.tif 000008
【図７】
2018086052.tif 000009
【図８】
2018086052.tif 000010
【図９】
2018086052.tif 000011
【図１０】
2018086052.tif 000012
【図１１】
2018086052.tif 000013
【図１２】
2018086052.tif 000014
【図１３】
2018086052.tif 000015
【図１４】
2018086052.tif 000016
【図１５】
2018086052.tif 000017